(57)【要約】  【課題】美感と強度とに優れると共に、多彩な陳列態様を選択できる商品陳列装置を提供する。  【手段】陳列装置はベース１と補助台２とを備えている。ベース１は樹脂の押し出し加工品であり、平行に延びる上向き開口の溝３を複数備えており、隣合った溝３の間は角筒状の中空部４になっている。このため強度に優れている。補助台２は合成樹脂を素材とした押し出し加工品であり、第１面１３と第２面１４と第３面１５とを有する側面視略三角形状でかつ左右に開口した中空状に形成されている。また、補助台３には、ベース１の溝に嵌まる第１足片１７の対と、１つの第２足片１８とが形成されており、かつ、第１面１３には補助溝１６が形成されている。【選択図】          図１
2006198021.tif 000002
【特許請求の範囲】
【請求項１】
上面に開口して左右に延びる多数の溝を平行に形成して成るベースを備えており、このベースの上面に、商品の陳列態様を変えるための補助台と、商品陳列エリアを規制する仕切り具とを配置可能になっており、補助台と仕切り具とは、当該補助台と仕切り具とに設けた足片を前記溝に差し込むことによってベースに取り付けできるようになっている陳列装置であって、
前記ベースは合成樹脂を素材とした押し出し加工によって成形されており、隣り合った溝の間の部分を中空状に形成している、
商品陳列装置。
【請求項２】
請求項１に記載したベースに取付けて使用できる補助台であって、
商品を載置又は支持可能な第１面と第２面と第３面との三つの面を有する側面視で略三角形状でかつ左右に開口した中空状に形成されており、隣合った面が連設する３つの境界部のうち少なくとも１つの境界部に、補助台をベースに重ねた状態でベースの溝に嵌まる足片が形成されている、
商品陳列装置用の補助台。
【請求項３】
請求項１に記載したベースに取り付けて使用できる仕切り具であって、
仕切板を抜き差し自在に保持すると共にベースの上面に安定して載置できるクランプ部と、ベースの溝に抜き差し自在な足片とを備えており、クランプ部と足片とは別体の構成で着脱可能になっている、
商品陳列装置用の仕切り具。
【発明の詳細な説明】
【技術分野】
【０００１】
本願発明は、商店で商品を陳列するために使用する商品陳列装置及びこれに使用する補助台並びに仕切り具に関するものである。
【背景技術】
【０００２】
商店で例えば青果類のような商品を陳列するために、移動可能な（或いは壁際に固定的に設置する）スタンド方式の陳列装置が使用されている。これらの陳列装置に関して、客の購買意欲をそそるように商品の見栄えを良くする、個々の商品を客に見やすくする、空間のスペースを有効活用する、商品どうしが接触して傷つくのを防止する、客が商品を取り易いようにする、といったような様々の観点から工夫がなされている。
【０００３】
その１つとし、陳列台をヒナ段方式にすることが行われているが、陳列台そのものを階段状に形成してしまうと陳列態様が限られて融通が利かないという問題がある。この点に関して本願出願人は特許文献１において改良された補助台（商品陳列用ブロック）を提案した。
【特許文献１】特開２００３−１４４２８０号公報
【発明の開示】
【発明が解決しようとする課題】
【０００４】
前記補助台は、商品を支持する３つの面を備え、かつ、各面の前後幅をそれぞれ異ならせており、姿勢を変えたり、複数のものを上下に重ねたりすることにより、水平状に配置されたベースに側面視でジグザグ状の陳列面を形成したり、或いは、傾斜状に配置されたベースに階段状の陳列面を形成したりというように、様々の陳列態様を採ることができる。
【０００５】
他方、商品の最適な陳列態様は商品の種類や大きさなどによってまちまちであり、また、商品がずれないように保持する必要もある。
【０００６】
この点については、ベースに左右長手の溝を平行に多数形成して、補助台に設けた足部を前記溝に嵌め込むことが行われており、これによると、異なる大きさの商品に対応できると共に商品のずれ移動を防止できる。しかして、多数の溝を備えている従来のベースは、金属板を素材として板金加工によって製造したり、合成樹脂の射出成形によって製造したりしているが、板状に過ぎないため、強度を確保するには厚肉にしなければならず、このため重くなる虞があった。
【０００７】
また、概観の良さや錆び防止等の点からベースや補助台は樹脂製とすることが好ましく、かつ、大きさ（左右長さ）の異なるものを品揃えするのが好ましいが、樹脂の射出成形品やブロー成形品であると大きさが異なるごとに金型を用意しなければならないため、コストが嵩むという問題がある。
【０００８】
更に、ベースの溝に仕切り具を差し込んで、仕切り具に仕切り板を取付けることも行われているが、全体が一体に成形されているため、溝を有するベースにしか使用できないという問題があった。
【０００９】
本願発明は、このような現状に鑑み成されたものである。
【課題を解決するための手段】
【００１０】
本願発明は、商品陳列装置とこれに使用する補助台と仕切り具とを含んでいる。このうち商品陳列装置は、請求項１に記載したように、上面に開口して左右に延びる多数の溝を平行に形成して成るベースを備えており、このベースの上面に、商品の陳列態様を変えるための補助台と、商品陳列エリアを規制する仕切り具とを配置可能になっており、補助台と仕切り具とは、当該補助台と仕切り具とに設けた足片を前記溝に差し込むことによってベースに取り付けできるようになっている。そして、前記ベースは合成樹脂を素材とした押し出し加工によって成形されており、隣り合った溝の間の部分を中空状に形成している。
【００１１】
補助台は請求項２に記載しており、この補助台は、商品を載置又は支持可能な第１面と第２面と第３面との三つの面を有する側面視で略三角形状でかつ左右に開口した中空状に形成されており、隣合った面が連設する３つの境界部のうち少なくとも１つの境界部に、補助台をベースに重ねた状態でベースの溝に嵌まる足片が形成されている。
【００１２】
仕切り具は請求項３に記載しており、この仕切り具は、仕切板を抜き差し自在に保持すると共にベースの上面に安定して載置できるクランプ部と、ベースの溝に抜き差し自在な足片とを備えており、クランプ部と足片とは別体の構成で着脱可能になっている。
【発明の効果】
【００１３】
本願発明のベースは樹脂を素材にした押し出し加工によって製造されているため、長さが異なるものを品揃えするにおいては、長尺の中間品を所望の長さに切断すればよく、従って、長さの異なるものを品揃えするにおいてそのコストを著しく抑制できる。また、隣合った溝の間の部分は中空状であるため、軽量であっても全体として高い強度を確保することができる。
【００１４】
また、本願発明の補助台は、第１〜第３の３つの面がそれぞれ商品の載置又は支持部となるように姿勢を様々に変えて使用することができるため、すなわち、多様な使い方ができるため、商品の種類や大きさに応じて陳列態様を選択でき、このため使い勝手が良い。また、本願発明の補助台は中空状であるため強度に優れており、また、左右に開口しているため、樹脂を素材とした押し出し加工により、左右長さが異なるものを低コストで製造することが可能になる。
【００１５】
更に、本願発明の仕切り具はクランプ部と足片とが別体でありしかもクランプ部はベースの上面に安定して載置できるため、足片を取り外すことにより、溝を備えていない陳列台でも使用することができて便利である。
【発明を実施するための最良の形態】
【００１６】
次に、本願発明の実施形態を図面に基づいて説明する。
【００１７】
図１は本願発明に係るベース１と補助台２との分離斜視図、図２のうち（Ａ）はベース１に補助台２を取付けた状態での側面図である。ベース１は、合成樹脂素材とした押し出し加工によって同一断面形状に製造されており、上向きに開口した複数本（４本）の溝３を備えており、隣合った溝３の間には、各筒状の主中空部４が存在しており、前後両端に位置した溝３の前後外側にエンド中空部４ａが存在している。各主中空部４の前後中間部には、その表面板と裏面板とを繋ぐ補強体５が一体成形されている。
【００１８】
(1).ベースの構造
ベース１は、例えば本願出願の出願に係る実用新案登録３１０５５４４号に記載されているような陳列台Ｓにビス止め等の適宜手段で取付けられる。従って、ベース１の左右長さ（横幅）は、一般に、陳列台の左右長さ（商店で客が相対する場合の間口方向の長さ）と同じ程度の寸法に設定されている。具体的には、９００ｍｍ程度の長さが多いが、勿論、必要に応じて長さは自由に設定できるのである。例えば、複数本のベースを左右に並べても良いのである。
【００１９】
ベース１の前後巾寸法（奥行き寸法）は左右長さよりも相当に小さい寸法であり、本例では、前後巾を１６５ｍｍで全体の厚さを２０ｍｍ程度に設定している。ベース１の前後巾寸法が左右長さに比べて小さいのは主として加工の容易性のためであるが、その複数本（或いは複数枚）前後に並列状に配置して隣合ったものを互いに連結することにより、陳列面を所望の奥行きに設定できるようになっている。
【００２０】
すなわち、図２（Ｂ）に拡大して示すように、ベース１の前後端部のうち一方の端部には、上向き開口溝６と上向き係合片７とを有する第１係合部８を形成し、他方の端部には、下向き開口溝９と上向き係合片１０とを有する第２係合部１１を形成し、これら両係合部８，１１を上下方向から嵌め合わせることにより、複数のベース１を前後に連結することができる。
【００２１】
第１係合部８の上向き係合片７と第２係合部１１の下向き係合片１０とは、ベース１のの厚さの中間部程度まで延びており、両係合片７，１０には、抜け止め用の爪７ａ、１０ａを形成している。両係合片７，１１は、その弾性に抗しての嵌め込みによって互いに係合させても良いし、或いは、ベース１をその長手方向にスライドさせることによって嵌め合わせてもよい。言うまでもないが、ベース１を前後に連結する連結手段は他の構成でも良い。
【００２２】
補助台２は合成樹脂を素材として押し出し加工によって製造されており、従って、左右全長にわたって同一断面形状であり、また、左右両端は開口している（左右の開口部にこれを塞ぐキャップを設けることも可能である）。
【００２３】
(2).補助台の構造
補助台２は、商品Ｇを載置又は支持できる第１面１３、第２面１４、第３面１５が周方向に連続しており、本例では、周方向の巾寸法が最も大きい第１面１３と、周方向の巾寸法が次に大きい第２面１４とは側面視で約３０°の角度を成している。第１面１３のうち巾方向に沿った前後中間部には、ベース１の溝３と同じ溝巾の補助溝１６が形成されており、第１面１３のうち補助溝１６よりも第３面１５に近い部分は凹凸部１３ａになっている。なお、補助溝１６は複数条形成してもよい。
【００２４】
第２面１４の大部分は、側面視で第１面１３に向けて凹となるように曲面を持って成して凹んでおり、凹んだ底部は、第１面１３の補助溝１６を形成する部分と当接又は密接している（一体に連結しでも良い）。このため、第１面１３と第２面１４との変形を防止できる。また、第２面１４が内側に向けて凸状に湾曲していることにより、補強機能が一層高められている。第３面１５の大部分も、補助台３の内部に向けて凸状に凹んでいる。
【００２５】
そして、第１面１３と第２面１４との境界部、及び、第２面１４と第３面１５と境界部に、第２面１３をベース１に重ねた状態でベース１の溝３に嵌まる第１足片１７が平行に延びるように突設されており、また、第１面１３と第３面１５との境界部には、第２面１４をベース１に重ねたときにベース１の溝３に張る里得る第２足片１８を突設している。なお、２つの第１足片１７は、それらでベースの２つの溝３を跨ぐ間隔になっている。
【００２６】
図２（Ａ）に一点鎖線で示すように、ベース１の溝３には仕切り板１９を差し込むことができる。
【００２７】
ベース１はＡＢＳ樹脂やポリカーボネートのような硬質の樹脂で製造されるが、補助台２の足片１７，１８や仕切り板１９の抜けを防止するため、溝３の内側面に、エラストマー等の軟質樹脂からなる突条２０を共押し出し法によって一体成形することも可能である。図では突条２０は溝の両内側面に２条ずつ形成しているが、１条ずつで良いし、溝３のいずれか一方の内側面だけに形成しても良い。
【００２８】
補助台２の左右長さ寸法はベース１と同じ寸法でも良いし、或いは、例えば３００ｍｍや４５０ｍｍ，６００ｍｍと言うようにベース１の横幅よりも短い長さに設定しても良い。補助台２の左右長さをベース１（或いは陳列台Ｓ）の作用横幅の（１／整数）の長さに設定しておいても良い。
【００２９】
(3).使用例
補助台２をベース１に取り付ける場合、図２（Ａ）のように第２面１４を重ねた姿勢と、図３（Ａ）〜（Ｃ）のように第１面１３をベース１に重ねた姿勢とを採用でき、かつ、いずれにおいても、第３面１５を奥側に位置させた姿勢と手前に位置させた姿勢とを選択でき、更に、ベース１（陳列台Ｓの上面）は水平の姿勢と傾斜させた姿勢とを選択できる。
【００３０】
ベース１を水平にした状態では、図２（Ａ）や図３（Ａ）に示すように、商品Ｇは側面視で前傾した姿勢でも陳列できる。図２（Ａ）では商品Ｇは補助台２の第１面１３に載せているが、補助台１３をその第３面１５が陳列体Ｓの手前側に向く姿勢に配置することにより、商品Ｇを補助台２の第３面１５で支持させる（立て掛けた状態にする）ことも可能である。
【００３１】
他方、ベース１（陳列台Ｓ）を傾斜させる場合、水平に対する傾斜角度は約３０°であることが多い一方、補助台２の第１面１３と第２面１４とが成す角度も約３０°に設定しているため、ベース１を傾斜させた状態では、図３（Ｂ）（Ｄ）に示すように、補助台２を利用して階段状（雛壇状）の陳列棚を構成して、商品Ｇを水平状の姿勢で陳列することがてきる。
【００３２】
図３（Ｃ）に示すように、前後に並んだ２つの補助台２をその第２面１４が向かい合う姿勢にしてベース１に取付けことも可能である。この場合は、２つの補助台２だ囲われた広い空間に大きな商品を陳列することができる。図示していないが、前後に並んだ２つの補助台２を、共に第１面１３が上向きでかつ前後姿勢を逆向きにした状態でベース１に取付けることも可能である。
【００３３】
図３（Ｄ）に示すように、第１面１３を上向きの姿勢にした場合、後方の補助台２の第３面１５に商品の後端を当てることにより、商品Ｇを側面視で傾斜した姿勢にするとことができるが、本実施形態のように第１面１３に凹凸部１３ａを形成していると、凹凸部１３ａに商品の前端縁を当てることにより、前後巾寸法が異なる商品Ｇを傾斜状の姿勢で保持できる利点がある（或いは、商品Ｇの傾斜姿勢を変えることもできる）。
【００３４】
図４では補助台２の他の使用形態を示している。このうち（Ａ）（Ｂ）（Ｄ）では、溝を備えていないベース板２２に補助台２を並べた使用態様を示している。（Ａ）ではベース板２２は水平に配置しており、（Ｂ）ではベース板２２を傾斜させている。溝３が形成されているベース１を使用する場合は、補助台２は前後に離反した状態で配置できるが、溝を備えていないベース板２２を使用する場合は、補助台３は前後に重ねた状態に配置する必要がある（なお、ベース板２２の前端又は陳列台Ｓの前端には、最前列の補助台２に対するストッパーを設けている）。
【００３５】
図４（Ｃ）では、ベース１を傾斜させた場合において、第１面１３をベース１に重ねた補助台２に、第２面１４を上向きにした姿勢の補助台２を重ね配置することにより、前傾した商品載置面を形成している。この場合、上段に位置した補助台２の第２足片１８を、下段に位置した補助台２における後部の第１足片１７の背面に重ねており、このため、上段の補助台２が手前にずれ移動することはない。補助台２が第２足片１８を備えていることにより、２つの補助台２を安定良く重ねて商品陳列面を嵩上げすることができる。
【００３６】
図４（Ｃ）では、２つの補助台２を、第１面１３どうしが重なるように前後逆向きの姿勢で上下に重ね合わせ、この上下に嵩なった補助台２の対を水平状のベース板２２に前後に並設している。この場合、前後に隣り合った補助台２の第３面１５がその上下端部において部分的に重なるように設定しており、このため、上下に重なった補助台２の群を前後に安定良く配置することができる。
【００３７】
この図４（Ｃ）（Ｄ）では、陳列面を嵩上げすることができ、また、上段に位置した補助台２の第２面１４が上向き凹の形態になっているため、例えばバナナの房のように平坦面に直接におくと座りが悪い商品でも、安定良く陳列することができる。
【００３８】
イチゴのように傷つき易い商品があるが、第２面１４を上向きにしておくと、前後の第１足片１７がストッパーとなって前後の商品が互いに当たることを防止できるため、商品の傷つきを防止できる。また、補助台２の第２面１４を全体的に外向き凹状に形成しておくと、リンゴやメロンのように球状の商品を安定よく陳列できる利点がある。
【００３９】
上記の使用例から理解できるように、本実施形態に係る補助台２は、その姿勢（特に側面姿勢）を変えたり、補助台同士又は補助台２とベース１との組合せを変えたりすることにより、多彩な陳列態様をつくることでがきる。すなわち、一人数役の活躍をできるのであり、このため、商店等のユーザーが商品の種類や大きさなどに応じて最適な陳列形態を選択することが可能になる。なお、補助台２の表面にクッション材や化粧シートを張るなどしても良い。
【００４０】
(4).仕切り具
次に、図５及び図６に基づいて仕切り具（仕切り補助具）２３を説明する。図５は分離斜視図、図６のうち（Ａ）は補助台２との分離側面図、（Ｂ）は（Ａ）のＢ−Ｂ視図である。
【００４１】
仕切り具２３は、仕切り板１９を保持し得る二股状のクランプ部２４と、ベース１の溝３及び補助台２の補助溝１６とに抜き差し自在な足片２５とを備えており、クランプ部２４と足片２５とは平面視で直交した方向に延びている。本実施例では、クランプ部２４と足片２５とはそれぞれ合成樹脂製で別体に構成されており、クランプ部２４には、ベース１又は補助台２の第１面１３と重なり得る基部２４ａが一体に形成されている。基部２４ａはクランプ部２４よりやや巾狭に形成しているが、図５に一点鎖線で示すように、クランプ部２４と基部２４ａとを等しい巾に設定ししても良い。
【００４２】
基部２４ａには、巾狭部２４ｂが形成されており、この巾狭部（くびれ部）２４ｂに一対の係合段部２４ｃを形成している。他方、足片２５は、クランプ部２４における巾狭部２４ｂに嵌まり込む抱持部２５ａが一体に形成されており、抱持部２５ａは、クランプ部２４における係合段部２４ｃと噛み合うように蟻溝状に形成されている。クランプ部２４は平坦面に安定的に載置できる底面積を備えている。
【００４３】
図５では抱持部２５ａの２つの形態を表示している。このうち右側に表示している抱持部２５ａは、クランプ部２４における巾狭部２４ｂとやや大きい寸法に形成しており、左側に表示している抱持部２５ａは、クランプ部２４における基部２４ａの最大巾寸法と同じ寸法に設定している。
【００４４】
仕切り具２３のクランプ部２４とを連結する連結手段には限定はなく、ねじ止めなども可能である。但し、本実施形態で示すように弾性変形を利用した嵌め合わせ構造を採用すると、取付けをワンッタチ的に行える。また、足片２５がクランプ部２４と直交した姿勢のものに加えて、足片２５がクランプ部２４と平行に延びる状態のものを用意しておいて、２つのものを付け替えることにより、仕切り板１９をベース１の溝３と直交させた姿勢と平行に延びる姿勢とに切り換えることも可能である。
【００４５】
足片２５を取り外すと、クランプ部２４は溝を備えていないベースやショーケースの棚等にも使用できる。また、溝３を有するベース１に使用する場合でも足片２５を取り外して使用することができ、この場合は、仕切り位置を自在に設定できる。
【００４６】
補助台２に、仕切り具２３を取付けできる補助溝１６を形成しておくと、補助台２に商品を載置する場合も陳列空間を仕切ることができるため、商品同士の衝突を防止したり、異なる種類の商品を陳列できたりして便利である。なお、仕切り具２３は、仕切り板１９を取付けることなく、クランプ部２４を仕切り板に兼用することも可能である。
【図面の簡単な説明】
【００４７】
【図１】本願発明の実施形態に係るベースと補助台との分離斜視図である。
【図２】(A)はベースに補助台を取付け状態での側面図、 (B)及び (C)はベースの部分拡大図である。
【図３】使用態様を示す図である。
【図４】使用態様を示す図である。
【図５】仕切り具とベースとの分離斜視図である。
【図６】(A)は仕切り具と補助台との関係を示す側面図、 (B)は (A)の B-B視図である。
【符号の説明】
【００４８】
１  ベース
２  補助台
３  ベースの溝
４  ベースの主中空部
４ａ  エンド中空部
１３  第１面
１４  第２面
１５  第３面
１７  補助台の第１足片
１８  補助台の第２足片
２３  仕切り具
２４  クランプ部
２５  クランプ部の足片
【図１】
2006198021.tif 000003
【図２】
2006198021.tif 000004
【図３】
2006198021.tif 000005
【図４】
2006198021.tif 000006
【図５】
2006198021.tif 000007
【図６】
2006198021.tif 000008